(57)【特許請求の範囲】
【請求項１】
一側が平面となって他側には第１の隙間調整用突起がそれぞれ設けられた第１の対向する面、及び第２の対向する面と、両側に第２の隙間調整用突起がそれぞれ設けられた第３の対向する面とを有する直方体の煉瓦において、
前記第１の隙間調整用突起の高さが、前記第２の隙間調整用突起の高さの１．８〜２．２倍になっていることを特徴とする煉瓦。
【請求項２】
一側が平面となって他側には第１の隙間調整用突起が設けられた第１の対向する面と、両側に第２の隙間調整用突起がそれぞれ設けられた第２の対向する面、及び第３の対向する面とを有する直方体の煉瓦において、
前記第１の隙間調整用突起の高さが、前記第２の隙間調整用突起の高さの１．８〜２．２倍になっていることを特徴とする煉瓦。
【請求項３】
請求項１又は２記載の煉瓦において、前記第１の隙間調整用突起の高さは１〜３ｍｍであることを特徴とする煉瓦。
【請求項４】
請求項１〜３のいずれか１項に記載の煉瓦において、前記直方体を四角筒状に取り囲む４面の全部又は一部に形成される前記第１及び／又は第２の隙間調整用突起は、それぞれの面において同一方向を向いた多数の線状突起からなって、しかも、前記４面の全部又は一部に対応する面の線状突起と平行な両側辺から、前記多数の線状突起が距離をおいて形成されていることを特徴とする煉瓦。
【請求項５】
請求項４記載の煉瓦において、前記直方体を四角筒状に取り囲む前記４面を除く他の２面の一方又は双方には、両側辺から距離をおいて前記多数の線状突起が形成されていることを特徴とする煉瓦。
【発明の詳細な説明】
【０００１】
【発明の属する技術分野】
本発明は、敷石等に使用する煉瓦に関する。
【０００２】
【従来の技術】
煉瓦は、様々な形状及び寸法のものがあり、敷石や塀等として広く使用されている。例えば、敷石として煉瓦を使用する場合には、直方体の煉瓦を規則正しく並べることにより外観上美しいものとすることができる。
【０００３】
【発明が解決しようとする課題】
しかしながら、直方体の煉瓦を敷石として使用する場合、作業上の問題及び煉瓦の寸法上の問題等により、煉瓦間の隙間にばらつきを生じていた。このような場合において、隙間の全く生じない部分が存在することにより隙間が生じた部分は非常に目立ち外観上好ましくなかった。
本発明はかかる事情に鑑みてなされたもので、一定の隙間を予め形成することを可能として、隙間のばらつきを目立たなくする煉瓦を提供することを目的とする。
【０００４】
【課題を解決するための手段】
前記目的に沿う第１の発明に係る煉瓦は、一側が平面となって他側には第１の隙間調整用突起がそれぞれ設けられた第１の対向する面、及び第２の対向する面と、両側に第２の隙間調整用突起がそれぞれ設けられた第３の対向する面とを有する直方体の煉瓦において、前記第１の隙間調整用突起の高さが、前記第２の隙間調整用突起の高さの１．８〜２．２倍になっている。
第１の発明に係る煉瓦においては、隙間調整用突起が設けられていて、予め隙間が意図的に形成される。そして、第１の隙間調整用突起の高さが、第２の隙間調整用突起の高さの１．８〜２．２倍になっているので、同一方向に煉瓦を並べた場合、あらゆるところで形成される隙間の大きさが一定となる。
【０００５】
ここで、前記第１の隙間調整用突起の高さは１〜３ｍｍであることが好ましい。１ｍｍ未満では、煉瓦間に生じる隙間が小さすぎて大きな隙間が目立つからであり、３ｍｍを超えると煉瓦間に生じる隙間自体が大きすぎて外観上好ましくないからである。これにより、適度な間隔で煉瓦を並べることが可能となる。
また、前記直方体を四角筒状に取り囲む４面の全部又は一部に形成される前記第１及び／又は第２の隙間調整用突起は、それぞれの面において同一方向を向いた多数の線状突起からなって、しかも、前記４面の全部又は一部に対応する面の線状突起と平行な両側辺から、前記多数の線状突起が距離をおいて形成されていることが好ましい。線状突起が多数形成されているので確実に隙間を保持することができ、この線状突起が外部から見える場合には、模様の役割を果たす。
そして、前記直方体を四角筒状に取り囲む前記４面を除く他の２面の一方又は双方には、両側辺から距離をおいて前記多数の線状突起が形成されていることが好ましい。これによって、この２面においても確実に隙間を保持することができ、線状突起が模様の役割を果たす。
【０００６】
第２の発明に係る煉瓦は、一側が平面となって他側には第１の隙間調整用突起が設けられた第１の対向する面と、両側に第２の隙間調整用突起がそれぞれ設けられた第２の対向する面、及び第３の対向する面とを有する直方体の煉瓦において、前記第１の隙間調整用突起の高さが、前記第２の隙間調整用突起の高さの１．８〜２．２倍になっている。
第２の発明に係る煉瓦においては、隙間調整用突起が設けられていて、予め隙間が意図的に形成される。そして、第１の隙間調整用突起の高さが、第２の隙間調整用突起の高さの１．８〜２．２倍になっているので、同一方向に煉瓦を並べた場合、あらゆるところで形成される隙間の大きさが一定となる。
【０００７】
ここで、前記第１の隙間調整用突起の高さは１〜３ｍｍであることが好ましい。これにより、適度な間隔で煉瓦を並べることが可能となる。なお、この範囲とするのは、第１の発明と同様の理由からである。
また、前記直方体を四角筒状に取り囲む４面の全部又は一部に形成される前記第１及び／又は第２の隙間調整用突起は、それぞれの面において同一方向を向いた多数の線状突起からなって、しかも、前記４面の全部又は一部に対応する面の線状突起と平行な両側辺から、前記多数の線状突起が距離をおいて形成されていることが好ましい。線状突起が多数形成されているので確実に隙間を保持することができ、この線状突起が外部から見える場合には、模様の役割を果たす。
そして、前記直方体を四角筒状に取り囲む前記４面を除く他の２面の一方又は双方には、両側辺から距離をおいて前記多数の線状突起が形成されていることが好ましい。これによって、この２面においても確実に隙間を保持することができ、線状突起が模様の役割を果たす。
【０００８】
【発明の実施の形態】
続いて、添付した図面を参照しつつ、本発明を具体化した実施の形態につき説明し、本発明の理解に供する。
ここに、図１は本発明の第１の実施の形態に係る煉瓦の斜視図、図２（Ａ）は同実施の形態に係る煉瓦の平面図、図２（Ｂ）は同実施の形態に係る煉瓦の正面図、図３は同実施の形態に係る煉瓦の使用状態の説明図、図４は図３におけるＡ部の拡大平面図、図５（Ａ）は第２の実施の形態に係る煉瓦の平面図、図５（Ｂ）は同実施の形態に係る煉瓦の正面図である。
【０００９】
図１及び図２に示すように、本発明の第１の実施の形態に係る煉瓦１０は、例えばコンクリートからなる、縦１００ｃｍ、横２００ｃｍ、奥行き６０ｃｍの直方体の煉瓦であって、上面１１、及び直方体を四角筒状に取り囲む面の一部となる前面１２、左面１３、及び右面１４にそれぞれ線状突起１５〜１８が形成され、下面１９及び後面２０は、平面となっている。なお、本実施の形態においては、上面１１及び下面１９を第１の対向する面とし、前面１２及び後面２０を第２の対向する面とし、左面１３及び右面１４を第３の対向する面としている。ここで、両側に第２の隙間調整用突起が設けられた第３の対向する面を上下面１１、１９及び前後面１２、２０とすることも可能である。
【００１０】
以下、詳しく説明する。
上面１１には、第１の隙間調整用突起の一例である線状突起１５が左右方向に多数平行に形成されている。この線状突起１５は、０．５〜１．５ｃｍ程度の幅及び２ｍｍ程度の高さを備えており、上面１１の線状突起１５に平行な両側辺から０．５〜１．５ｃｍ程度の平面部１１ａを除いて（平行な両側辺から０．５〜１．５ｃｍ程度の距離をおいて）、０．５〜１．５ｃｍ程度の間隔をあけて形成されている。この線状突起１５は、隣接する煉瓦１０の平らな下面１９と当接した場合に２ｍｍ程度の隙間を形成することを可能としている。
また、前面１２には幅０．５〜１．５ｃｍ程度、高さ２ｍｍ程度の線状突起１６（第１の隙間調整用突起の一例）が、前面１２の線状突起１６に平行な両側辺から０．５〜１．５ｃｍ程度の平面部１２ａを除いて、０．５ｃｍ程度の間隔をもって上下方向に多数平行に形成されており、隣接する煉瓦１０の平らな後面２０と当接して２ｍｍ程度の隙間を形成することを可能としている。
そして、左面１３及び右面１４には、幅０．５〜１．５ｃｍ程度、高さ１ｍｍ程度（線状突起１５、１６の高さの半分）の線状突起１７、１８（第２の隙間調整用突起の一例）が、線状突起１７、１８に平行な左面１３及び右面１４の両側辺から０．５〜１．５ｃｍ程度の平面部１３ａ、１４ａを除いて、０．５〜１．５ｃｍ程度の間隔をもって上下方向に多数平行に形成されている。左面１３に形成された線状突起１７は、隣合う煉瓦１０の右面１４に形成された線状突起１８と当接して、２ｍｍ程度の隙間を形成することを可能としている。また、右面１４も同様に、右面１４に形成された１ｍｍ程度の高さの線状突起１８が他の煉瓦１０の左面１３に形成された１ｍｍ程度の高さの線状突起１７と当接して２ｍｍ程度の隙間を形成することを可能としている。
【００１１】
この煉瓦１０を製造するには、まず、平らな底板を有し、予め前面、左面、及び右面に線状突起の型を備えた煉瓦型枠（１００×２００×６０）にコンクリートを上方から流し込む。そして、線状突起の型を備えた押さえ板で上方から一定の所まで押さえて、振動締め固めして成形する。次に、成形した煉瓦１０を底板と共に下方へ引き抜く。これにより、前面１２及び左右面１３、１４に上下方向（同一方向）の線状突起１６〜１８を形成することが可能となり、このように製造することにより製造が効率よくでき、煉瓦１０を安価に製造することができる。
【００１２】
図３に示すように、この煉瓦１０を敷石として使用するには、煉瓦１０の前面１２を上方に向けて、縦方向及び横方向に規則正しく並べる。縦方向に隣合う煉瓦１０は、それぞれ横方向に煉瓦１０の横長さの半分（１００ｃｍ）ずらした状態とする。
このとき、図４に示すように、縦方向に隣接する煉瓦１０の隙間は、上面１１に形成された２ｍｍ程度の高さの線状突起１５と他の煉瓦１０の平らな下面１９とが当接して、２ｍｍ程度の隙間を形成することとなる。また、横方向に隣接する煉瓦１０の隙間は、左面１３に形成された１ｍｍ程度の高さの線状突起１７と他の煉瓦１０の右面１４に形成された１ｍｍ程度の高さの線状突起１８が当接して２ｍｍ程度の隙間を形成することとなる。
これらの隙間には、最終仕上げとして乾燥した砂を詰める（目地詰め）。ここで、側面となる上面１１、左面１３、及び右面１４には、平面部１１ａ、１３ａ、１４ａが設けられていて、このとき上方に位置する平面部１１ａ、１３ａ、１４ａに砂を詰めることができるので煉瓦１０を確実に固定することができる。
【００１３】
したがって、敷石の底面となる後面２０が平らな面となっていることと合わせて、非常に安定性を有した敷石とすることができる。また、隙間の大きさは、あらゆるところで一定（２ｈ）となっているので外観上美しいものとなる。そして、前面１２が上方を向いていて、外部から線状突起１６を見ることができるので、これが模様の役割を果たし、より外観上美しいものとすることができる。
【００１４】
図５（Ａ）、（Ｂ）に示すように、本発明の第２の実施の形態に係る煉瓦２１は、例えば縦１００ｃｍ、横２００ｃｍ、奥行き６０ｃｍの直方体の煉瓦であって、上面２２、及び直方体を四角筒状に取り囲む面となる前面２３、後面２４、左面２５、及び右面２６にそれぞれ線状突起２７〜３１が形成され、下面３２のみが平面となっている。なお、本実施の形態においては、上面２２及び下面３２を第１の対向する面とし、前面２３及び後面２４を第２の対向する面とし、左面２５及び右面２６を第３の対向する面としている。ここで、一側が平面となって他側に第１の隙間調整用突起が設けられた第１の対向する面を前後面２３、２４及び左右面２５、２６とすることもできる。
【００１５】
上面２２には、第１の隙間調整用突起の一例である線状突起２７が左右方向に多数平行に形成されている。この線状突起２７は０．５〜１．５ｃｍ程度の幅及び２ｍｍ程度の高さを備えており、０．５〜１．５ｃｍ程度の間隔をあけて形成されている。この線状突起２７は、他の煉瓦２１の平らな下面３２と当接した場合に２ｍｍ程度の隙間を形成することを可能としている。
また、第２の対向する面（前面２３及び後面２４）、第３の対向する面（左面２５及び右面２６）には、幅０．５〜１．５ｃｍ程度、高さ１ｍｍ程度の第２の隙間調整用突起の一例である線状突起２８〜３１がそれぞれの面に０．５〜１．５ｃｍ程度の間隔をもって水平方向に多数平行に形成されている。前面２３に形成された線状突起２８は他の煉瓦２１の後面２４に形成された線状突起２９と当接して、２ｍｍ程度の隙間を形成することを可能としている。また、他の面（後面２４、左面２５、及び右面２６）の線状突起２９、３０、３１も同様に、それぞれ対向する面２３、２６、２５に形成された線状突起２８、３１、３０と当接して、２ｍｍ程度の隙間を形成することを可能としている。なお、各面２２〜２６に形成される線状突起２７〜３１は、第１の実施の形態と同様に目地詰めを可能とすべく、線状突起と平行な両側辺から０．５〜１．５ｃｍの部分には形成されていない（距離をおいている）。
また、この煉瓦２１の製造方法は、第１の実施の形態とほぼ同様なので説明を省略する。
【００１６】
この煉瓦２１を第１の実施の形態と同様に敷石として使用することにより、隙間の大きさはあらゆるところで一定（２ｈ）となり外観上非常に美しいものとなる。また、前面２３が上方を向いていて、外部から線状突起２８を見ることができるので、これが模様の役割を果たし、より外観上美しいものとすることができる。
【００１７】
以上、本発明を幾つかの実施の形態を参照して説明してきたが、本発明は何ら上記した実施の形態に記載の構成に限定されるものでなく、特許請求の範囲に記載されている事項の範囲内で考えられるその他の実施の形態や変形例も含むものである。例えば、第１、第２の隙間調整用突起は、多数の平行に形成された線状突起としたが、格子状（チェック柄）とすることもでき、また、円柱形状又は角柱形状等の突起を点在（散在）させて設けることも可能である。但し、少数の隙間調整用突起を面に設ける場合には、対向する面の隙間調整用突起と配置位置を対応させることが必要である。また、多数設ける場合には、配置位置を対応させて又はランダムに配置させることができる。
更に、第１及び第２の実施の形態においては、煉瓦１０、２１を敷石とし、前  面１２、２３を上方に向けて並べたが、上面１１、２２を上方に向けて並べることも可能であり、このときも煉瓦間に形成される隙間の大きさは一定となる。
なお、煉瓦１０、２１は、敷石としてのみならず花壇の縁又は塀等としても使用することも可能であり、一般の煉瓦と同様、手軽にいろいろな用途に使用することができる。
【００１８】
【発明の効果】
請求項１及びこれに従属する請求項３〜５記載の煉瓦においては、第１及び第２の隙間調整用突起が設けられていて、予め隙間が意図的に形成されるので、隙間に多少のばらつきがあっても目立たない。しかも、第１の隙間調整用突起の高さが、第２の隙間調整用突起の高さの１．８〜２．２倍になっているので、同一方向に煉瓦を並べた場合、あらゆるところで形成される隙間の大きさが一定となり、外観が非常に美しいものとなる。
また、一側が平面となって他側には第１の隙間調整用突起がそれぞれ設けられた第１の対向する面及び第２の対向する面と、両側に第２の隙間調整用突起がそれぞれ設けられた第３の対向する面とを有するので煉瓦の用途が広がる。
【００１９】
請求項２及びこれに従属する請求項３〜５記載の煉瓦においては、第１及び第２の隙間調整用突起が設けられていて、予め隙間が意図的に形成されるので、隙間に多少のばらつきがあっても目立たない。しかも、第１の隙間調整用突起の高さが、第２の隙間調整用突起の高さの１．８〜２．２倍になっているので、同一方向に煉瓦を並べた場合、あらゆるところで形成される隙間の大きさが一定となり、外観が非常に美しいものとなる。
また、一側が平面となって他側には第１の隙間調整用突起がそれぞれ設けられた第１の対向する面と、両側に第２の隙間調整用突起がそれぞれ設けられた第２の対向する面及び第３の対向する面とを有するので煉瓦の用途が広がり、また、平らな１面が目印となって、施工の際に煉瓦を容易に同一方向に並べることができる。
【００２０】
特に、請求項３記載の煉瓦においては、第１の隙間調整用突起の高さは１〜３ｍｍであるので、見た目に美しい適度な間隔で煉瓦を並べることが可能となり、外観上より美しいものとなる。
請求項４記載の煉瓦においては、第１及び／又は第２の隙間調整用突起は、多数の線状突起からなっているので、確実に隙間を保持することができる。また、直方体を四角筒状に取り囲む４面の全部又は一部に形成される線状突起は同一方向を向いているので、煉瓦製造の際に煉瓦の型枠から煉瓦を一方向に抜くことが可能となって、安価に煉瓦を製造することができる。更に、この線状突起が外部から見える場合には、模様の役割を果たし、より外観を美しいものとすることができる。また、４面の全部又は一部に対応する面の線状突起と平行な両側辺から距離をおいて多数の線状突起が形成されているので、敷石として使用する場合に、線状突起が形成された面が側面となり、その線状突起が地面と平行となっても目地詰めをすることが可能となる。
【００２１】
請求項５記載の煉瓦においては、直方体を四角筒状に取り囲む４面を除く他の２面にも多数の線状突起が形成されているので、この２面においても確実に隙間を保持することができ、模様の役割を果たす。また、両側辺から距離をおいて前記多数の線状突起が形成されているので、敷石として使用する場合に、他の２面が側面となり、線状突起が地面と平行となっても目地詰めをすることが可能となる。
【図面の簡単な説明】
【図１】本発明の第１の実施の形態に係る煉瓦の斜視図である。
【図２】（Ａ）は同実施の形態に係る煉瓦の平面図、（Ｂ）は同実施の形態に係る煉瓦図の正面図である。
【図３】同実施の形態に係る煉瓦の使用状態の説明図である。
【図４】図３におけるＡ部の拡大平面図である。
【図５】（Ａ）は本発明の第２の実施の形態に係る煉瓦の平面図、（Ｂ）は同実施の形態に係る煉瓦の正面図である。
【符号の説明】
１０  煉瓦                          １１  上面
１２  前面                          １２ａ  平面部
１３  左面                          １３ａ  平面部
１４  右面                          １４ａ  平面部
１５  線状突起                      １６  線状突起
１７  線状突起                      １８  線状突起
１９  下面                          ２０  後面
２１  煉瓦                          ２２  上面
２３  前面                          ２４  後面
２５  左面                          ２６  右面
２７  線状突起                      ２８  線状突起
２９  線状突起                      ３０  線状突起
３１  線状突起                      ３２  下面
【図１】
0003980773.tif 000002
【図２】
0003980773.tif 000003
【図３】
0003980773.tif 000004
【図４】
0003980773.tif 000005
【図５】
0003980773.tif 000006